(57)【特許請求の範囲】
【請求項１】
第１及び第２ロータアームの先端に糸案内姿勢と糸開放姿勢とに揺動自在に装着され釣り糸をスプールに案内するスピニングリールの釣り糸案内機構であって、
前記第１及び第２ロータアームの先端にそれぞれ揺動自在に装着された第１及び第２ベール支持部材と、
前記第１ベール支持部材に一端が固定された固定軸と、前記固定軸の他端に前記第１ベール支持部材と間隔を隔てて設けられた固定軸カバーと、
前記固定軸に回動自在に支持され、周面に前記釣り糸を案内する案内部が形成されたラインローラと、
前記第２ベール支持部材と少なくとも前記固定軸及び前記固定軸カバーのいずれかとに両端が固定され、前記スプールの周方向外方に湾曲して配置され、前記釣り糸を前記固定軸カバーを介して前記ラインローラに導くベールとを備え、
前記第１ベール支持部材の外周部は、前記外周部と所定の基準点との距離が最大となる第１距離を半径とする球体内部に設けられ、かつ前記外周部と前記基準点との距離が外方に向けて前記第１距離より徐々に小さくなるような曲面形状に形成されており、
前記基準点は前記固定軸カバーと前記ベールとの接合点である、スピニングリールの釣り糸案内機構。
【請求項２】
前記基準点は前記第１ベール支持部材の内周部側に配置される、請求項１に記載のスピニングリールの釣り糸案内機構。
【請求項３】
前記第１ベール支持部材の側部は、前記側部と前記基準点との距離が最大となる第２距離を半径とする球体内部に設けられ、かつ前記側部と前記基準点との距離が外方に向けて前記第２距離より徐々に小さくなるような曲面形状に形成されている、請求項１又は２に記載のスピニングリールの釣り糸案内機構。
【請求項４】
前記第２距離は前記第１距離より短い、請求項３に記載のスピニングリールの釣り糸案内機構。
【発明の詳細な説明】
【０００１】
【発明の属する技術分野】
本発明は、釣り糸案内機構、特に、第１及び第２ロータアームの先端に糸案内姿勢と糸開放姿勢とに揺動自在に装着され釣り糸をスプールに案内するスピニングリールの釣り糸案内機構に関する。
【０００２】
【従来の技術】
スピニングリールには釣り糸をスプールに案内する釣り糸案内機構が設けられている。釣り糸案内機構は、第１及び第２ロータアームの先端に装着され、ロータとともに回転しかつ糸開放姿勢と糸巻き取り姿勢との間で揺動自在に設けられている。この釣り糸案内機構は、第１及び第２ベール支持部材と、第１ベール支持部材の先端に一端が固定された固定軸と、固定軸の他端に固定された固定軸カバーと、固定軸カバーに一端が取り付けられたベールと、ラインローラとを備えている。ベールの他端は第２ベール支持部材の先端に取り付けられている。このベールの一端は固定軸カバーに挿入固定されており、固定軸カバーとベールとの接合部には段差が生じている。
【０００３】
このような釣り糸案内機構を有するスピニングリールでは、釣り糸をスプールに巻き取る際に、ベールを糸巻き取り姿勢側に揺動させハンドルを回す。すると、釣り糸はベールに誘導されて固定軸カバーを介してラインローラの外周面に案内されて接触する。そして、釣り糸は、ラインローラに案内されて方向が変えられ、スプール外周に巻き取られる。
【０００４】
【発明が解決しようとする課題】
従来の釣り糸案内機構では、特に軽量のルアーをキャスティングした後にハンドルを回すと、弛んだ釣り糸が固定軸カバーとベールとの接合部の段差に引っ掛かり、さらにこの釣り糸が接合部と第１ベール支持部材の外周部との間に巻きついて糸絡みを起こしてしまうことがある。このように、固定軸カバー及びベールの接合部と第１支持部材の外周部との２箇所で釣り糸が引っ掛かると、釣り糸を巻き取ろうとした時その２点間にテンションが加わり、より強固に絡んでしまい、ついには釣り糸を巻き取ることが不可能となってしまう。
【０００５】
本発明の課題は、釣り糸案内機構において、糸絡みを容易に解消できるようにすることにある。
【０００６】
【課題を解決するための手段】
発明１に係るスピニングリールの釣り糸案内機構は、第１及び第２ロータアームの先端に糸案内姿勢と糸開放姿勢とに揺動自在に装着され釣り糸をスプールに案内するスピニングリールの釣り糸案内機構であって、第１及び第２ロータアームの先端にそれぞれ揺動自在に装着された第１及び第２ベール支持部材と、第１ベール支持部材に一端が固定された固定軸と、固定軸の他端に第１ベール支持部材と間隔を隔てて設けられた固定軸カバーと、固定軸に回動自在に支持され周面に釣り糸を案内する案内部が形成されたラインローラと、第２ベール支持部材と少なくとも固定軸及び固定軸カバーのいずれかとに両端が固定されスプールの周方向外方に湾曲して配置され釣り糸を固定軸カバーを介してラインローラに導くベールとを備えている。第１ベール支持部材の外周部は、外周部と所定の基準点との距離が最大となる第１距離を半径とする球体内部に設けられ、かつ外周部と基準点との距離が外方に向けて第１距離より徐々に小さくなるような曲面形状に形成されている。さらに、基準点は、固定軸カバーとベールとの接合点である。
【０００７】
この釣り糸案内機構では、たとえば糸絡みを起こす可能性のある任意の位置を所定の基準点として定め、この基準点から第１ベール支持部材の外周部までの間の最大距離を半径とする球体を定義し、この球体内に第１ベール支持部材の外周部が配置されている。そして、第１ベール支持部材の外周部は、釣り糸が案内可能な外方に向けて、基準点と外周部との間の距離が徐々に小さくなるような曲面形状に形成されている。ここでは、たとえば所定の基準点で糸絡みを起こし、第１ベール支持部材の外周部で釣り糸が引っ掛かった場合でも、巻き取り動作によって第１ベール支持部材の外周部の引っ掛かり位置が基準点を中心に外方に移動し、ついには抜けきり、それと同時に基準点での糸絡みも解消される。したがって、糸絡みの解消が容易になる。さらに、この場合は、糸絡みを起こしやすい固定軸カバーとベールとの接合点を基準点と定めることで、基準点で糸絡みを起こした場合でも、糸絡みの解消が容易になる。
【０００８】
発明２に係る釣り糸案内機構は、発明１の釣り糸案内機構において、基準点は第１ベール支持部材の内周部側に配置されている。この場合は、たとえば第１ベール支持部材の外周部をこの基準点を中心に円弧状又は滑らかな凸形状に形成することができるので、第１ベール支持部材の外周部に釣り糸が引っ掛かりにくくなる。
【０００９】
発明３に係る釣り糸案内機構は、発明１又は２の釣り糸案内機構において、第１ベール支持部材の側部は、側部と基準点との距離が最大となる第２距離を半径とする球体内部に設けられ、かつ側部と基準点との距離が外方に向けて第２距離より徐々に小さくなるような曲面形状に形成されている。この場合は、第１ベール支持部材の外周部と同様に、第１ベール支持部材の側部においても釣り糸の引っ掛かりを防止することができる。
【００１０】
発明４に係る釣り糸案内機構は、発明３の釣り糸案内機構において、第２距離は第１距離より短い。この場合は、たとえば第１ベール支持部材の外周部において釣り糸の引っ掛かりを防ぐことができれば、最大距離の短い第１ベール支持部材の側部においても同様に糸絡みを防ぐことができる。
【００１１】
【発明の実施の形態】
〔全体構成及びリール本体の構成〕
本発明の一実施形態を採用したスピニングリールは、図１及び図２に示すように、ハンドル１と、ハンドル１を回転自在に支持するリール本体２と、ロータ３と、スプール４とを主に備えている。ロータ３はリール本体２の前部に回転自在に支持されている。スプール４は、釣り糸を外周面に巻き取るものであり、ロータ３の前部に前後移動自在に配置されている。
【００１２】
ハンドル１は、Ｔ字状の把手部１ａと、先端に把手部１ａが回転自在に装着されたＬ字状のクランクアーム１ｂとを有している。リール本体２は、図１及び図２に示すように、側部に開口を有するリールボディ２ａと、リールボディ２ａから斜め上前方に一体で延びるＴ字状の竿取付脚２ｂとを有している。リールボディ２ａは、図２に示すように、内部に機構装着用の空間を有しており、その空間内には、ロータ３をハンドル１の回転に連動して回転させるロータ駆動機構５と、スプール４を前後移動させて釣り糸を均一に巻き取るためのオシレーティング機構６とが設けられている。
【００１３】
スプール４は、図１及び図２に示すように、後述するロータ３の第１ロータアーム３１及び第２ロータアーム３２の間に配置されており、スプール軸１５の先端部にスプール４の中心部がドラグ機構６０（図２R>２参照）を介して連結されている。ロータ駆動機構５は、図２に示すように、ハンドル１が回転不能に装着されたハンドル軸１０と、ハンドル軸１０とともに回転するマスターギア１１と、このマスターギア１１に噛み合うピニオンギア１２とを有している。ハンドル軸１０の両端は軸受を介してリール本体２に回転自在に支持されている。ハンドル軸１０の両端にはネジ方向及び径が異なる雌ネジ部がそれぞれ形成されており、両雌ネジ部にハンドル１が回転不能に装着可能である。
【００１４】
ピニオンギア１２は筒状に形成されており、ピニオンギア１２の前部はロータ３の中心部を貫通しており、ナット３３によりロータ３と固定されている。そして、ピニオンギア１２の軸方向の中間部と後端部とが、それぞれ軸受を介してリール本体２に回転自在に支持されている。オシレーティング機構６はスプール４を前後方向に移動させるための機構である。オシレーティング機構６は、図２に示すように、スプール軸１５の略直下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００１５】
〔ロータの構成〕
ロータ３は、図２に示すように、ピニオンギア１２に固定された円筒部３０と、円筒部３０の側方に互いに対向して設けられた第１ロータアーム３１及び第２ロータアーム３２と、釣り糸をスプール４に案内するための釣り糸案内機構としてのベールアーム３４とを有している。円筒部３０と第１ロータアーム３１及び第２ロータアーム３２とは、たとえばアルミニウム合金製であり、一体成形されている。円筒部３０の先端中心部分が前述したようにナット３３によりピニオンギア１２の先端部に回転不能に固定されている。
【００１６】
〔ベールアームの構成〕
ベールアーム３４は、第１ロータアーム３１及び第２ロータアーム３２の先端に、糸案内姿勢と糸開放姿勢との間で揺動自在に装着されている。ベールアーム３４は、第１ロータアーム３１及び第２ロータアーム３２の先端にそれぞれ揺動自在に装着された第１ベール支持部材４０及び第２ベール支持部材４２を有している。第１ベール支持部材４０は第１ロータアーム３１の外側に揺動自在に装着され、第２ベール支持部材４２は第２ロータアーム３２の内側に装着されている。ベールアーム３４は、図３から図５に示すように、第１ベール支持部材４０及び第２ベール支持部材４２を連結するベール４１と、第１ベール支持部材４０に先端が固定された固定軸４３（図５参照）と、固定軸４３に支持されたラインローラ４４と、固定軸４３を覆う固定軸カバー４６とを有している。
【００１７】
第１ベール支持部材４０は、図４及び図５に示すように、第１ロータアーム３１に揺動自在に装着されたアーム部４０ａと、アーム部４０ａの先端に一体成形されたリング状の装着部４０ｂとを有している。装着部４０ｂには段付きの貫通孔４０ｃ（図５参照）が形成されており、貫通孔４０ｃには固定軸４３を第１ベール支持部材４０に固定するための固定ボルト５２が貫通している。
【００１８】
第１ベール支持部材４０のアーム部４０ａは、図４に示すように、固定軸カバー４６とベール４１との接合点（段差が生じている点）である基準点Ｐからアーム部４０ａ外周部までの最大距離である第１距離Ｒ１を半径とする球体内に配置されている。基準点Ｐからアーム部４０ａ外周部までの距離Ｒ１ａ、Ｒ１ｂは外方に向けて第１距離Ｒ１より徐々に短くなるように形成されている。すなわち、距離Ｒ１ｂは距離Ｒ１ａより短くなるように形成されている。また、アーム部４０ａは、図５に示すように、基準点Ｐからアーム部４０ａ側部（上方視断面における外周部）までの最大距離である第２距離Ｒ２を半径とする球体内に配置されている。基準点Ｐからアーム部４０ａ側部までの距離Ｒ２ａは外方に向けて第２距離Ｒ２より徐々に短くなるように形成されている。なお、第２距離Ｒ２と第１距離Ｒ１とは同一の長さである。
【００１９】
ベール４１は、図３に示すように、第２ベール支持部材４２及び固定軸カバー４６に両端がかしめ固定された針金状の部材であり、スプール４の周方向外方に凸に湾曲して配置されている。ベール４１は、ベールアーム３４が糸開放姿勢から糸案内姿勢に復帰したときに釣り糸を固定軸カバー４６を介してラインローラ４４に導くためのものである。
【００２０】
固定軸４３は、図５に示すように、固定軸カバー４６と一体で切削加工により形成された部材である。固定軸４３は、固定軸カバー４６と一体の基端から第１ベール支持部材４０に向かって延びており、先端が固定ボルト５２により固定されている。ラインローラ４４は、図５に示すように、外周面に釣り糸を案内する溝が形成された筒状の案内部４４ａと、案内部４４ａの内周側に軸方向に間隔を隔てて配置された２つの転がり軸受４４ｂ、４４ｃとを有している。案内部４４ａは、この２つの軸受４４ｂ、４４ｃを介して固定軸４３に回動自在に支持されている。
【００２１】
固定軸カバー４６は、固定軸４３の基端に第１ベール支持部材４０の装着部４０ｂと間隔を隔てて設けられている。固定軸カバー４６は、頂点が中心からずれた略円錐形状の部材であり、固定軸４３の中心を基準にしてリールの後方でかつスプール４の径方向外方に頂点が向いている。固定軸カバー４６の頂点より釣り糸案内側に偏倚してベール４１がかしめ固定されている。
【００２２】
〔リールの操作及び動作〕
このスピニングリールでは、キャスティング時等の糸繰り出し時には、ベールアーム３４を糸開放姿勢に倒す。これにより第１ベール支持部材４０及び第２ベール支持部材４２は揺動する。この結果、釣り糸は仕掛けの自重によりスプール４の先端側から順に繰り出される。
【００２３】
糸巻き取り時にはベールアーム３４を糸巻き取り姿勢側に戻す。これは、ハンドル１を糸巻き取り方向に回転させると、図示しないベール反転機構の働きにより自動的に行われる。ハンドル１の回転力はハンドル軸１０及びマスターギア１１を介してピニオンギア１２に伝達される。ピニオンギア１２に伝達された回転力は、ピニオンギア１２の前部からロータ３に伝達されるとともに、ピニオンギア１２に噛み合う中間ギア２３によりオシレーティング機構６に伝達される。この結果、ロータ３が糸巻き取り方向に回転するとともにスプール４が前後に往復移動する。
【００２４】
この巻き初めのときにベール４１に接触した釣り糸は、ベール４１により固定軸カバー４６に案内される。固定軸カバー４６に案内された釣り糸は、ラインローラ４４に案内され、さらにラインローラ４４で方向が変えられスプール４外周に巻き取られる。このスピニングリールでは、第１ベール支持部材４０のアーム部４０ａは、釣り糸の絡みやすい固定軸カバー４６とベール４１との接合点を基準点Ｐと定め、この基準点Ｐからアーム部４０ａ外周部及び側部までの最大距離である第１距離Ｒ１及び第２距離Ｒ２を半径とする球体内に配置されている。そして、基準点Ｐからアーム部４０ａ外周部及び側部までの距離Ｒ１ａ、Ｒ１ｂ及びＲ２ａは、外方に向けて第１距離Ｒ１及び第２距離Ｒ２より徐々に短くなっている。このため、基準点Ｐで糸絡みを起こし、アーム部４０ａ外周部及び側部で釣り糸が引っ掛かった場合でも、巻き取り動作によってアーム部４０ａ外周部及び側部の引っ掛かり位置が基準点Ｐを中心に外方に移動し、ついには抜けきり、それと同時に基準点Ｐでの糸絡みも解消される。したがって、巻き取り動作を行うだけで容易に糸絡みを解消できる。
【００２５】
〔他の実施形態〕
（ａ）  前記実施形態では、フロントドラグ型のスピニングリールを例に説明したが、リアドラグ型のスピニングリールやドラグを有さないスピニングリールやレバードラグ型のスピニングリール等の任意のスピニングリールに本発明を適用できる。
【００２６】
（ｂ）  前記実施形態では、固定軸４３と固定軸カバー４６とは一体成形されていたが、固定軸４３と固定軸カバー４６とを別体で形成してもよい。また、ベール４１は固定軸カバー４６に固定されていたが、これに限定されるものではなく、ベール４１を固定軸４３に固定してもよい。
【００２７】
（ｃ）  前記実施形態では、第２距離Ｒ２と第１距離Ｒ１とは同一の長さであったが、第２距離Ｒ２が第１距離Ｒ１より短くなるようにしてもよい。また、距離Ｒ１ａ、Ｒ１ｂ及びＲ２ａを、第１距離Ｒ１及び第２距離Ｒ２と同一にして、アーム部４０ａ外周部及び側部が同一球面上に配置されるようにしてもよい。
【００２８】
【発明の効果】
本発明によれば、第１ベール支持部材の外周部は、外周部と所定の基準点との最大距離を半径とする球体内部に設けられている。そして、外方に向けて外周部と基準点との距離が最大距離より徐々に小さくなるような形状に形成されている。このため、巻き取り動作を行うだけで、第１ベール支持部材の外周部での引っ掛かり位置が基準点を中心に外方に移動し、ついには抜けきり、それと同時に基準点での糸絡みも解消することができる。したがって、糸絡みの解消が容易になる。
【図面の簡単な説明】
【図１】  本発明の一実施形態を採用したスピニングリールの右側面図。
【図２】  前記スピニングリールの左側面断面図。
【図３】  前記スピニングリールの正面図。
【図４】  ベールアームの要部斜視図。
【図５】  ベールアームの要部断面図。
【符号の説明】
３  ロータ
４  スプール
３１  第１ロータアーム
３２  第２ロータアーム
３４  ベールアーム
４０  第１ベール支持部材
４２  第２ベール支持部材
４１  ベール
４３  固定軸
４４  ラインローラ
４６  固定軸カバー
Ｐ  基準点
Ｒ１  第１距離
Ｒ２  第２距離
【図１】
0003759570.tif 000002
【図２】
0003759570.tif 000003
【図３】
0003759570.tif 000004
【図４】
0003759570.tif 000005
【図５】
0003759570.tif 000006